(57)【要約】【課題】いろいろな洗浄槽に簡単に取り付けることができ、洗浄される動物が安全に前脚をかけて立ち上がることができ、動物を落ち着かせて容易に洗浄することができる動物用洗浄台を提供する。【解決手段】底部と側面を有する洗浄槽に取り付ける板状本体１２を有し、板状本体１２は、一方の側縁部１２ｃが洗浄槽３０の側面３４の上面３４ａに対向する。反対側の側縁部１２ａは、側面３４から外側に位置し、洗浄槽３０の側面３４に当接する側縁部１２ｃ付近には、側面３４の内周面に当接する係止片１７を備える。反対側の側縁部１２ａ近傍には、側面３４の外周面に係止片１７とは下方向に離れた位置に当接する支持部材２４を備える。板状本体１２の荷重を係止片１７と支持部材２４が、洗浄槽３０の側面３４に外周面と内周面からかけることで、洗浄槽３０に取り付ける。【選択図】図１
2019162050.tif 000002
【特許請求の範囲】
【請求項１】
底部と側面を有する洗浄槽に取り付ける板状本体を有し、前記板状本体は、一方の側縁部が前記洗浄槽の前記側面の上面に当接し、反対側の側縁部は前記側面から外側に位置して取り付けられ、前記板状本体の、前記洗浄槽の前記側面に対向する側縁部付近には、前記側面の内周面に当接する係止片が設けられ、反対側の前記側縁部近傍には、前記側面の外周面に前記係止片とは下方向に離れた位置に当接する支持部材が設けられ、前記板状本体の荷重を前記係止片と前記支持部材が前記洗浄槽の前記側面に外周面と内周面からかけることで前記洗浄槽に取り付けられることを特徴とする動物用洗浄台。
【請求項２】
前記洗浄槽は、四つ脚の動物を入れて洗浄可能な大きさであり、前記板状本体の大きさは、前記動物が立ち上がって前脚を載せることができ、両方の前脚が同時に載る幅を有し、前記板状本体の遠い方の側縁部に前足が届かない長さを有し、前記板状本体は、前記洗浄槽の前記側面から外側に位置する側縁部が前記側面よりも上方に位置するように傾斜して取り付けられる請求項１記載の動物用洗浄台。
【請求項３】
前記板状本体には、前記板状本体に交差する棒状の保持部材が設けられ、前記保持部材の端部付近に前記支持部材が連結されて設けられ、前記支持部材は、前記洗浄槽の前記側面に交差して当接する棒形状である請求項１記載の動物用洗浄台。
【請求項４】
前記支持部材の長手方向の途中に、長さ調節可能なジョイント部が設けられている請求項３記載の動物用洗浄台。
【請求項５】
前記板状本体の、前記洗浄槽の前記側面の前記上面に載せられた前記側縁部を除く周縁部には、上方に突出する縁部が設けられている請求項１又は２記載の動物用洗浄台。
【発明の詳細な説明】
【技術分野】
【０００１】
この発明は、動物を洗浄する洗浄槽に取り付ける動物用洗浄台に関する。
【背景技術】
【０００２】
従来、ペットとして飼われている犬、猫等の動物は、清潔な状態を保つため定期的に体を洗浄する。洗浄方法は、洗浄槽内に動物を入れ、シャワーノズルでお湯をかけてシャンプーをする。動物を洗浄するために使用される洗浄槽は、上方に開口する中空の本体が設けられ、本体の底には排水口が設けられている。洗浄槽には、洗浄する動物が暴れることを防ぐ工夫がされたものもある。
【０００３】
例えば、特許文献１に開示されている動物用浴槽は、四つ脚動物を入れたとき、該動物の四つ脚の着地投影面積に近い形状の底面を有すると共に、底面から上部開口に向けて拡大する傾斜壁を有する。この動物用浴槽によれば、動物の自由な動きを制限し、トリマーがより少ない労力で短時間に動物の洗浄を行うことができる。
【０００４】
また、特許文献２に開示されている動物用洗浄槽は、上面が長方形に解放された中空の洗浄槽本体が所定の高さに配置されており、この洗浄槽本体における長手方向に沿ったそれぞれの壁部における相互に対面した内面が、下側になるにつれて順次接近するように傾斜している。この動物用洗浄槽によれば、上記の特許文献１と同様に、動物の自由な動きを制限し、少ない労力で短時間に動物の洗浄を行うことができる。
【先行技術文献】
【特許文献】
【０００５】
【特許文献１】特開２００４−２０８５４９号公報
【特許文献２】特開平１０−３２８２１３号公報
【発明の概要】
【発明が解決しようとする課題】
【０００６】
上記背景技術の場合、四つ脚の動物は、洗浄中に恐怖心等から、洗浄槽の縁部に前足をかけて立ち上がることがある。洗浄槽の縁部に前脚をかけると、脱出したり落下したりするおそれがある。また、前足を洗浄槽の縁部に掛けて立ち上がった状態では、洗浄槽の上方に目が位置して、安心感から洗浄中も比較的おとなしくしている。
【０００７】
一方、作業者は、四つ足動物が立ち上がると、洗浄水が周囲に飛び散らないように、洗浄作業中に前脚を下ろす手間がかかり、作業効率が低下し労力がかかる。上記の各特許文献では、洗浄槽の縁部に前脚をかけることを防ぐことは考えられていない。
【０００８】
この発明は、上記背景技術の問題点に鑑みてなされたものであり、いろいろな洗浄槽に簡単に取り付けることができ、洗浄される動物が安全に前脚をかけて立ち上がることができ、動物を落ち着かせて容易に洗浄することができる動物用洗浄台を提供することを目的とする。
【課題を解決するための手段】
【０００９】
本発明は、底部と側面を有する洗浄槽に取り付ける板状本体を有し、前記板状本体は、一方の側縁部が前記洗浄槽の前記側面の上面に当接し、反対側の側縁部は前記側面から外側に位置して取り付けられ、前記板状本体の、前記洗浄槽の前記側面に当接する側縁部付近には、前記側面の内周面に当接する係止片が設けられ、反対側の前記側縁部近傍には、前記側面の外周面に前記係止片とは下方向に離れた位置に当接する支持部材が設けられ、前記板状本体の荷重を前記係止片と前記支持部材が前記洗浄槽の前記側面に外周面と内周面からかけることで前記洗浄槽に取り付けられる動物用洗浄台である。
【００１０】
前記洗浄槽は、四つ脚の動物を入れて洗浄可能な大きさであり、前記板状本体の大きさは、前記動物が立ち上がって前脚を載せることができ、両方の前脚が同時に載る十分な幅を有し、前記板状本体の遠い方の側縁部に前足が届かない十分な長さを有している。前記板状本体は、前記洗浄槽の前記側面から外側に位置する側縁部が前記側面よりも上方に位置するように傾斜して取り付けられている。
【００１１】
前記板状本体には、前記板状本体に交差する棒状の保持部材が設けられ、前記保持部材の端部付近に前記支持部材が連結されて設けられ、前記支持部材は、前記洗浄槽の前記側面に交差して当接する棒形状である。さらに、前記支持部材の長手方向の途中には、長さ調節可能なジョイント部が設けられている。
【００１２】
前記係止片又は前記支持部材は、前記側縁部に各々沿って複数個が設けられていると良い。また、前記板状本体の、前記洗浄槽の前記側面の前記上面に載せられた前記側縁部を除く周縁部には、上方に突出する縁部が設けられている。
【発明の効果】
【００１３】
本発明の動物用洗浄台は、いろいろな洗浄槽に簡単に取り付けることができ、洗浄される動物が前脚をかけても脱出や落下のおそれがなく安全であり、前脚をかけて立たせることで動物を落ち着かせておとなしくさせ、容易に洗浄することができる。
【図面の簡単な説明】
【００１４】
【図１】この発明の一実施形態の動物用洗浄台の使用状態を示す正面図である。
【図２】この実施形態の動物用洗浄台の使用状態を示す右側面図である。
【図３】この実施形態の動物用洗浄台の正面図（ａ）、右側面（ｂ）、底面図（ｃ）である。
【図４】この実施形態の動物用洗浄台の自立させた状態を示す正面図である。
【図５】この実施形態の動物用洗浄台の変形例の使用状態を示す正面図である。
【発明を実施するための形態】
【００１５】
以下、この発明の実施形態について図面に基づいて説明する。図１〜図３はこの発明の一実施形態を示すもので、この実施形態の動物用洗浄台１０は、図１、図２に示すように、ペットとして飼われている犬、猫等の四つ脚の動物２８を洗う洗浄槽３０に取り付けるものである。洗浄槽３０は、矩形の底部３２と、底部３２の側縁部から立ち上がる側面３４を有し、側面３４の縁部は、所定幅の上面３４ａを有している。
【００１６】
動物用洗浄台１０は、洗浄槽３０の側面３４の上面３４ａに載せられて取り付けられる板状本体１２を有している。板状本体１２は、一方向に長い矩形であり、板状本体１２の長手方向に沿う一方の側縁部１２ａと、側縁部１２ａに対して直角に交差する一対の側縁部１２ｂには、使用状態で上方に位置する上面１２ｄから上方に突出する縁部１４が設けられている。縁部１４は、側縁部１２ａ，１２ｂに連続してコの字状となる。側縁部１２ａに対して略平行な側縁部１２ｃは、縁部１４が設けられていない。なお、板状本体１２は、側縁部１２ｃが洗浄槽３０の側面３４に沿って取り付けられ、側縁部１２ａは側面３４から離れて略平行に位置し、一対の側縁部１２ｂは側面３４に対して略直角に交差する。板状本体１２の大きさは、洗浄槽３０に入れられた動物２８が、洗浄槽３０から立ち上がって前脚を載せることができるものであり、両方の前脚が同時に載る十分な長手方向の長さを有し、遠い側縁部１２ａに前足が届かない十分な幅を有している。
【００１７】
板状本体１２の、上面１２ｄと反対側の下面１２ｅには、側縁部１２ｃに隣接して係止部材１６が取り付けられている。係止部材１６は、互いに所定距離離れて対面する同形状の矩形の係止片１７とストッパ板１８が設けられ、係止片１７、ストッパ板１８の間に底部１９が設けられ、互いに略直角に交差するコの字形の溝状に形成されている。係止片１７、ストッパ板１８、底部１９で囲まれた内側は、洗浄槽３０の側面３４がゆとりを有して嵌合される空間２０である。底部１９の、空間２０側は洗浄槽３０の側面３４の上面３４ａが当節する内側面１９ｂであり、反対側の面は、板状本体１２の下面１２ｅに固定される取付面１９ａである。底部１９の、取付面１９ａと内側面１９ｂの間の厚みは、係止片１７に連続する端部よりもストッパ板１８に連続する端部が厚く形成され、取付面１９ａは、内側面１９ｂに対して傾斜している。なお、内側面１９ｂは、係止片１７、ストッパ板１８の突出方向に対して略直角に位置している。
【００１８】
係止部材１６は、板状本体１２の下面１２ｅに、側縁部１２ｃに隣接して２個が、側縁部１２ｃの中心を挟んで等間隔に離れた位置に取り付けられている。係止部材１６は、係止片１７とストッパ板１８が側縁部１２ｃに対して略平行に、そして係止片１７が側縁部１２ｃ側にくるように、固定されている。取付面１９ａが傾斜しているため、係止片１７、ストッパ板１８は、下面１２ｅに対して鈍角となる。つまり、下面１２ｅから離れるにつれて側縁部１２ｃの外側へ向かって突出する。なお、係止片１７は、使用状態で洗浄槽３０の側面３４の内周面３４ｂに重ねられて当接し動物用洗浄台１０を洗浄槽３０の外側に引掛けるフックとなる。ストッパ板１８は、使用状態で側面３４から離れ、動物用洗浄台１０が側面３４から不用意に外れることを防止するストッパとなる。内側面１９ｂは下面１２ｅに対して、側縁部１２ｃに近づくにつれて下面１２ｅに近づく方向に傾斜する。内側面１９ｂは図１に示すように、使用状態で略水平であり、取付面１９ａ、つまり板状本体１２は、側縁部１２ｃよりも側縁部１２ａが高くなり、所定角度で傾斜する。
【００１９】
板状本体１２の下面１２ｅには、側縁部１２ａに隣接して、棒状の保持部材２２が取り付けられている。保持部材２２は、円柱形状であり、一方の端部２２ａが下面１２ｅの側縁部１２ａ近傍に取り付けられ、他方の端部２２ｂは、下面１２ｅから離れている。保持部材２２の軸方向は、下面１２ｅから離れるにつれて側縁部１２ａから離れて側縁部１２ｃに近づく方向に突出し、さらに一対の側縁部１２ｂに対して平行である。保持部材２２の軸方向は、係止部材１６の係止片１７、ストッパ板１８の、下面１２ｅからの突出方向と平行でもよい。保持部材２２は、側縁部１２ａに沿う位置に２個が、側縁部１２ａの中心を挟んで等間隔に離れた位置に固定されている。これは、側縁部１２ｃの一対の係止部材１６に対向する位置にある。
【００２０】
保持部材２２の、下面１２ｅから離れた端部２２ｂ付近には、細い棒状の支持部材２４が取り付けられている。支持部材２４の一方の端部２４ａは、保持部材２２の端部２２ｂ近傍の側周面の、板状本体１２の側縁部１２ｃ側に面する位置に取り付けられ、他方の端部２４ｂは、保持部材２２から離れ、側縁部１２ｃに近づく方向に突出し、さらに一対の側縁部１２ｂに対して平行である。支持部材２４は、直径が異なる２個のポールが連結して設けられ、２個のポールの端部が互いに嵌合されたジョイント部２６で長さが調整可能なものであり、ジョイント部２６の内側にはバネが設けられ、バネが長手方向から受ける多少の衝撃を吸収する。支持部材２４の端部２４ｂには、他の部材に当接した時に滑り止めとなるキャップ２７が取り付けられている。支持部材２４は、板状本体１２の側縁部１２ｂと平行でもよい。
【００２１】
次に、動物用洗浄台１０の使用方法について説明する。まず、動物用洗浄台１０の保持部材２２を作業者が握り、板状本体１２の側縁部１２ａが洗浄槽３０から遠く、側縁部１２ｃが近くなるように洗浄槽３０に近づけ、側縁部１２ｃに設けられた係止部材１６の空間２０に、洗浄槽３０の側面３４の上面３４ａを、係止片１７ストッパ板１８に対して略平行に差し込む。すると、板状本体１２は、側面３４の上面３４ａから離れるにつれて上方に向かう方向に傾斜する。そして、係止部材１６の底部１９の内側面１９ｂと、洗浄槽３０の側面３４の上面３４ａは平行に重なる。係止部材１６の、係止片１７とストッパ板１８の間隔は側面３４の上面３４ａの幅よりも広いため、ゆとりを有して差し込まれる。上面３４ａの幅が異なる洗浄槽３０にも対応する。そして、係止片１７を側面３４の内周面３４ｂに平行に重ねて板状本体１２を引っ掛けた状態で、支持部材２４の長さをジョイント部２６で調節し、端部２４ｂを洗浄槽３０の側面３４の外周面３４ｃに当接させ、板状本体１２の荷重を支える。これにより、動物用洗浄台１０の洗浄槽３０への取り付けが完了する。
【００２２】
そして、作業者が洗浄槽３０の近傍に立ち、動物２８を洗浄槽３０に入れて、シャワーノズルでお湯をかけて、動物２８を洗浄する。洗浄する間、動物２８は、前脚を動物用洗浄台１０の板状本体１２にかけて、立ち上がった状態にする。これにより、動物２８は、安定しておとなしくなり、洗浄が容易となる。動物２８は立ち上がった姿勢となるため、腹部側も洗浄しやすい。
【００２３】
動物用洗浄台１０は、使用しないときは図４に示すように、床３６に置いて、板状本体１２の側縁部１２ｃと、支持部材２４の端部２４ｂで自立する。
【００２４】
この実施形態の動物用洗浄台１０によれば、いろいろな洗浄槽３０に簡単に取り付けることができ、洗浄される動物２８が前脚をかけても脱出や落下のおそれがなく安全であり、前脚をかけることで動物２８を落ち着かせておとなしくさせ、容易に洗浄することができる。動物２８がおとなしくなるため、作業が容易となり、作業者の労力が軽減される。板状本体１２は洗浄槽３０側の側縁部１２ｃが低く設置され、側縁部１２ａは離れて上方に位置し前脚をかけることができず、また板状本体１２が側面３４の上面３４ａを覆うため、側面３４に後ろ足をかけることができず、動物２８が側面３４を乗り越えることができず、落下や脱出の恐れがない。板状本体１２には縁部１４が設けられ、動物２８を洗浄する水が板状本体１２に落下しても洗浄槽３０の周囲に飛び散らず、板状本体１２は傾斜しているため、側縁部１２ｃから洗浄槽３０に流れ落ちて排水される。使用しない時は、床３６においてコンパクトに収納することができる。支持部材２４の端部２４ｂにはキャップ２７が取り付けられ、洗浄槽３０の側面３４に当接した時に滑りにくく、また側面３４に傷をつけることがない。保持部材２２は円柱形状であり、握りやすいものであり、保持部材２２を握って持ち運びや洗浄槽３０への取り付けと取り外しが容易である。ストッパ板１８が外れ防止用のストッパとなり、不用意に外れることが無く、安全である。
【００２５】
また、動物用洗浄台１０の係止部材１６は、ストッパ板１８が移動可能でも良い。例えば、図５に示すように、底部１９の内側面１９ｂに、レール部材３８を設け、レール部材３８の長手方向は、板状本体１２の側縁部１２ｃに対して略直角である。レール部材３８の、板状本体１２の側縁部１２ｃ側の端部には、係止片１７が固定されている。レール部材３８の、反対側の端部には、ストッパ板１８がレール部材３８に沿って移動可能に取り付けられている。レール部材３８またはストッパ板１８には、ストッパ板１８をレール部材３８の任意の位置で係止する図示しない係止具が設けられている。係止具は、必要に応じて係止と係止解除をすることができる。
【００２６】
また、ストッパ板１８の、係止片１７に対向する面には、当接部材２１が取り付けられている。当接部材２１は、バネ等で係止片１７に向かって付勢された当接部を有している。これによれば、動物用洗浄台１０を洗浄槽３０に取り付ける時は、ストッパ板１８を係止片１７から離し、取り付け易くすることができる。取り付けた後はストッパ板１８をレール部材３８に沿って移動させ、当接部材２１が洗浄槽３０の側面３４に当接し付勢力で密着する位置で、係止部材で係止する。洗浄槽３０の側面３４は、係止片１７とストッパ板１８に挟持され、確実に取り付けることができる。
【００２７】
この発明の動物用洗浄台は、上記実施の形態に限定されるものではなく、材料は自由に選択可能であり、金属や合成樹脂、木材等、何でもよい。係止部材、保持部材、支持部材の長さや角度、取り付ける個数等は適宜変更可能であり、安定して板状本体を保持するものであればよい。動物用洗浄台を取り付ける洗浄槽は、洗面台や浴槽等、何でもよい。動物の種類は、犬や猫以外でも良い。
【符号の説明】
【００２８】
１０  動物用洗浄台
１２  板状本体
１２ａ，１２ｂ，１２ｃ  側縁部
１４  縁部
１７  係止片
２２  保持部材
２４  支持部材
２６  ジョイント部
２８  動物
３０  洗浄槽
３２  底部
３４  側面
【図１】
2019162050.tif 000003
【図２】
2019162050.tif 000004
【図３】
2019162050.tif 000005
【図４】
2019162050.tif 000006
【図５】
2019162050.tif 000007